(57)【要約】【課題】      スポットライト、集魚灯、各種照射装置等に使用される照射灯であって、特にＬＥＤの発光輝度を高めると共に、発光した光をより一層高輝度に外部に照射させることができる複合体光学光源燈を提供すること。【解決手段】  本発明の複合体光学光源燈は、基台上に設置された複数の発光体と、該基台上に装着され、且つ、複数の発光体を被覆する一体化された複合一体レンズとで構成されていることを特徴とする。また前記複合一体レンズの内部に、発光体を収容させる凹部を形成した。また前記凹部の上部と発光体の上部との間に空間部を形成した。また前記発光体は高輝度ＬＥＤである。また前記複合体光学光源燈は商用電源、太陽電池装置、携帯用電源、電気二重層キャパシタにより発光することができる。【選択図】図１
2009021203.tif 000002
【特許請求の範囲】
【請求項１】
基台上に設置された複数の発光体と、該基台上に装着され、且つ、複数の発光体を被覆する一体化された複合一体レンズとで構成されていることを特徴とする複合体光学光源燈。
【請求項２】
前記複合一体レンズの内部に、発光体を収容させる凹部を形成した請求項１記載の複合体光学光源燈。
【請求項３】
前記凹部の上部と発光体の上部との間に空間部を形成した請求項１または２記載の複合体光学光源燈。
【請求項４】
前記発光体は高輝度ＬＥＤである請求項１乃至３のうちいずれか１項に記載の複合体光学光源燈。
【請求項５】
前記発光体は商用電源により発光する請求項１乃至４のうちいずれか１項に記載の複合体光学光源燈。
【請求項６】
前記発光体は太陽電池装置により発光する請求項１乃至４のうちいずれか１項に記載の複合体光学光源燈。
【請求項７】
前記発光体は携帯用電源により発光する請求項１乃至４のうちいずれか１項に記載の複合体光学光源燈。
【請求項８】
前記発光体は電気二重層キャパシタとした請求項１乃至４のうちいずれか１項に記載の複合体光学光源燈。
【発明の詳細な説明】
【技術分野】
【０００１】  本発明は、レンズが複合一体化されていることにより、製造工程やコストの削減が実現でき、発光体から照射される発光輝度を高めることで、野外活動におけるスポットライト、漁業における集魚灯、各種広告板への照射装置等に好適に使用することができる複合体光学光源燈に関する。
【背景技術】
【０００２】  従来、室内演劇や屋外コンサートには、昼夜問わず出演者を照らし出すスポットライトが使用されている。また屋外の大型看板や店舗のショーウィンドウにも照射用ライトが装着されている。また漁船においては、夜間に漁を行う際に魚の習性を利用して魚を集める集魚灯が装備されている。【０００３】  また特に、光の海面への照射効率が高く、もって魚獲効率を高くでき、さらに漁船の燃費や船内環境を改善でき、漁師の健康を阻害しない集魚灯がある（例えば、特許文献１参照）。
上掲特許文献１の集魚灯は、青色系発光ダイオードを複数個、基板の上にマトリックス状に配置して、ＬＥＤ面状光源に構成し、このＬＥＤ面状光源を２枚用い、船の右側の海面を照射する右側面状光源および船の左側の海面を照射する左側面状光源として組み合わせることを特徴としている。
【特許文献１】特開２００３−１３４９６７号公報
【発明の開示】
【発明が解決しようとする課題】
【０００４】  しかしながら、一般的なスポットライトや照射ライトは、白熱灯を使用しているため、多くの電力コストが必要になると共に、稼働させるための配電設備も設置しなければならなかった。【０００５】  また特許文献１の集魚灯においては、発光体としてＬＥＤ面状光源を用いているため、電気コストの低減は実現できるが、魚を効率よく集めるための高い発光輝度を実現するまでには至らなかった。【０００６】  そこで本発明は上記の点に鑑み、野外活動におけるスポットライト、漁業における集魚灯、各種広告板への照射装置等に使用される光源燈であって、特に、レンズが複合一体化されていることにより、製造工程やコストの削減が実現でき、さらに発光体から照射される発光輝度を高めることができる複合体光学光源燈を提供することにある。
【課題を解決するための手段】
【０００７】  上記問題を解決するために本発明の複合体光学光源燈は、基台上に設置された複数の発光体と、該基台上に装着され、且つ、複数の発光体を被覆する一体化された複合一体レンズとで構成されていることを特徴とする。また前記複合一体レンズの内部に、発光体を収容させる凹部を形成した。また前記凹部の上部と発光体の上部との間に空間部を形成した。また前記発光体は高輝度ＬＥＤが使用される。また前記発光体は商用電源、太陽電池装置、携帯用電源、電気二重層キャパシタにより発光させることができる。
【発明の効果】
【０００８】  基台上に設置された複数の発光体を、一体化された複合一体レンズにて空間部を有する状態で被覆するため、製造工程やコストの削減が実現できる。また発光体を高輝度ＬＥＤとしたことにより、発光体の光をより一層高輝度に発光させることができる。
【発明を実施するための最良の形態】
【０００９】  以下、本発明における複合体光学光源燈の実施の形態を図面に基づき説明する。
本発明の複合体光学光源燈は、野外活動におけるスポットライト、漁業における集魚灯、各種広告板への照射装置等に使用されるもので、特にＬＥＤの発光輝度を高めると共に、発光した光をより一層高輝度に外部に照射させることを特徴とする。【００１０】  図１に示す複合体光学光源燈１は、基台２上に設置された複数の発光体３と、該基台２上に装着され、且つ、複数の発光体３を被覆する一体化された複合一体レンズ４とで構成されている。また図２に示すように、基台２および複合一体レンズ４はケース１０内に収容されており、ケース１０の上部には、ガラスや耐熱硬質プラスチックからなる光透過性のカバー１１が配設されている。【００１１】  発光体３はＬＥＤ発光素子からなり、基台２上に複数、かつ等間隔に配設されている。また発光体３は図中、基台２上に２１個備えられているが、設置する数量は使用目的や用途等に応じて適宜調整することができる。【００１２】  複合一体レンズ４は光透過性を有するガラスや耐熱硬質プラスチック等で形成されており、角柱状の基部５と、上部の複数の球状体６にて一体的に形成されている。また前記球状体６は、基台２上に装着された発光体３の数に対応する数量が施されている。そのため、複合一体レンズ４の着脱が容易になると共に、複合一体レンズ４の製造工程やコストの削減が実現できる。【００１３】  また前記複合一体レンズ４の内部には、前記発光体３を収容させる複数の凹部７が形成されている。また前記凹部７には、複合一体レンズ４を装着させた際、凹部７の上部と発光体３の上部との間に空間部８が形成される。そのことにより、発光体３から発光される光は、空間部８を通過し、さらに球状体６を通過することで、高い発光輝度を得ることができる。【００１４】  また他の好適例として、前記発光体３は高輝度ＬＥＤであることが好ましい。高輝度ＬＥＤは３〜５Ｗの電力を有する。また前記高輝度ＬＥＤは、従来のＬＥＤよりも２．５〜５．５倍程度の高い発光輝度を有する。そのため、野外活動におけるスポットライト、漁業における集魚灯、各種広告板への照射装置等に好適に使用することができる。【００１５】  また複合体光学光源燈１の電源は商用電源２１とする。商用電源２１は、一般家庭や工場へ供給される電源であり、プラグにコンセントを挿入することにより発光体３を発光させることができる。そのことにより身近に、且つ手軽に発光体３を発光させることができる。【００１６】  また本発明の複合体光学光源燈１は、図４に示すように、太陽電池装置２０を電源とすることもできる。太陽電池装置２０は、ソーラーパネル、充電器、光センサー（図示せず）にて形成される。ソーラーパネルは太陽エネルギーを電気エネルギーに変換するものであり、充電器にはソーラーパネルにて起電される電力を蓄える充電池が収容されている。【００１７】  また複合体光学光源燈１は、携帯用電源２２を電源とすることができる。携帯用電源２２は携帯用の発電機や車両バッテリー等からなり、専用のコネクターを利用することで発光体３を発光させることができる。携帯用電源２２を電源とすることで、大掛かりな設備を不要にすると共に、利便性、作業性、操作性に優れる。【００１８】  さらに複合体光学光源燈１は、電気二重層キャパシタ（図示せず）を電源とすることができる。電気二重層キャパシタは、発熱体３を低コストで極めて効率よく発光させることができ、また極めて短時間に効率よく充電し、長い時間放電させる特徴を有する。そのため、少ない電力で長時間の電力供給が可能になり、経済性に非常に優れた効果を発揮する。【００１９】  上述の構成により、本発明の複合体光学光源燈は、製造工程やコストの削減が実現でき、さらに高輝度に発光照射させることができるため、野外活動におけるスポットライト、漁業における集魚灯、各種広告板への照射装置等に幅広く使用することができる。また、太陽電池装置や携帯用電源を電源とした場合、大掛かりな配電設備が最小限に削減でき、電気設備のない山奥や発展途上国においても優れた効果を発揮する。
【図面の簡単な説明】
【００２０】
【図１】本発明の複合体光学光源燈の分解斜視図である。
【図２】ケース内に収容させた複合体光学光源燈の全体図である。
【図３】複合体光学光源燈の断面図である。
【図４】複合体光学光源燈を分解した状態の断面図である。
【符号の説明】
【００２１】１    複合体光学光源燈
２    基台
３    発光体
４    複合一体レンズ
５    基部
６    球状体
７    凹部
８    空間部
１０  ケース
１１  カバー
２０  太陽電池装置
２１  商用電源
２２  携帯用電源
【図１】
2009021203.tif 000003
【図２】
2009021203.tif 000004
【図３】
2009021203.tif 000005
【図４】
2009021203.tif 000006